(57)【要約】      （修正有）【課題】軸筒本体に貼り付けた本革シートの前後端縁の木端が目立つことなく、また前後端縁の木端からシートが捲れて剥がれてしまうこと防止する。また本革シートを筆記具の把持部に設ける場合においても、指が滑り難く、本革シートの円周方向における継目が目立ち難い構造とする。【解決手段】本革シート８の前後端縁８３，８４を除く円周方向における重なり部の厚みと本革シートの肉厚とを等しくし、本革シートの前後端縁における円周方向における重なり部の厚みを本革シートの肉厚より小さくし、本革シートの前後に前方筒状部材５と後方筒状部材３とを配設して、本革シートの前後端縁を前方筒状部材と後方筒状部材とで被覆させる。【選択図】図６
2013111798.tif 000002
【特許請求の範囲】
【請求項１】
軸筒の表面に本革シートを円周方向に捲いて貼り付けた筆記具であって、本革シートの円周方向の両側縁部に木端剥部を肉厚Ｔ１で形成し、前記本革シートの前後端縁に木端剥部を肉厚Ｔ２で形成し、前記本革シートの肉厚Ｔと前記肉厚Ｔ１と肉厚Ｔ２との関係を、Ｔ１＝Ｔ／２、Ｔ２＜Ｔ１＜Ｔとすることにより、前記本革シートを軸筒本体に貼り付けた状態で、前記本革シートの前後端縁を除く円周方向における重なり部の厚みＴ３と該本革シートの肉厚Ｔとを等しくし、且つ前記本革シートの前後端縁における円周方向における重なり部の厚みＴ４を該本革シートの肉厚Ｔより小さくし、前記本革シートの前後に前方筒状部材と後方筒状部材とを配設して、前記本革シートの前後端縁を前記前方筒状部材と後方筒状部材とで被覆させた筆記具。
【請求項２】
前記軸筒本体を軸筒の把持部とし前記前方筒状部材を口金とし、前記把持部に被覆した本革シートの表面と前記口金の表面とを一致させた構造の請求項１に記載の筆記具。
【請求項３】
前記本革シートの全表面に、型押しで深さ０．２ｍｍ以上の溝部を形成した構造の請求項１または２に記載の筆記具。
【発明の詳細な説明】
【技術分野】
【０００１】
本発明は筆記具に関し、さらに詳細には、軸筒の表面に本革シートを貼り付けた構造の筆記具に関する。
【背景技術】
【０００２】
従来より、筆記具に高級感を与えるように、あるいは本革製の手帳との組合せを考慮して、軸筒にシート状の本革を貼り付けた構造の筆記具が存在している。また、軸筒に本革シートを貼り付ける場合には、軸筒の外周面に貼り付けた本革シートの重ね合わせ部の段差が問題視されており、例えば特開２００４−２９１３８０号公報では、シートの重ね合わせ部の木端部分を斜めに形成することで、重ね合わせ部が盛り上がらないようにして、継目を目立ち難くさせる構造が記載されている。
【０００３】
しかしながら従来構造では、前述の通り、軸筒の円周方向における本革シートの重ね合わせ部については考えられているものの、本革シートの前後端縁の処理に関しては特に問題とせず革の木端が露出された状態となっており、筆記具の高級感を損なったり、前後の木端側から本革シートが捲れて剥がれ易いという問題が生じていた。尚、本革シートを軸筒の把持部へ設けた構造では、筆記時に把持部に指が触れることから、特にシートが剥がれ易くなっており、またエラストマー等の滑り難い材料で把持部を被覆した筆記具と比べると、把持した指が滑り易く筆記がし難いという問題が存在した。
【先行技術文献】
【特許文献】
【０００４】
【特許文献１】特開２００４−２９１３８０号公報
【発明の概要】
【発明が解決しようとする課題】
【０００５】
軸筒本体に貼り付けた本革シートの前後端縁の木端が目立つことなく、また前後端縁の木端からシートが捲れて剥がれてしまうこと防止する。また本革シートを筆記具の把持部に設ける場合においても、指が滑り難く、本革シートの円周方向における継目が目立ち難い構造とする。
【課題を解決するための手段】
【０００６】
本発明は、
「１．軸筒の表面に本革シートを円周方向に捲いて貼り付けた筆記具であって、本革シートの円周方向の両側縁部に木端剥部を肉厚Ｔ１で形成し、前記本革シートの前後端縁に木端剥部を肉厚Ｔ２で形成し、前記本革シートの肉厚Ｔと前記肉厚Ｔ１と肉厚Ｔ２との関係を、Ｔ１＝Ｔ／２、Ｔ２＜Ｔ１＜Ｔとすることにより、前記本革シートを軸筒本体に貼り付けた状態で、前記本革シートの前後端縁を除く円周方向における重なり部の厚みＴ３と該本革シートの肉厚Ｔとを等しくし、且つ前記本革シートの前後端縁における円周方向における重なり部の厚みＴ４を該本革シートの肉厚Ｔより小さくし、前記本革シートの前後に前方筒状部材と後方筒状部材とを配設して、前記本革シートの前後端縁を前記前方筒状部材と後方筒状部材とで被覆させた筆記具。
２．前記軸筒本体を軸筒の把持部とし前記前方筒状部材を口金とし、前記把持部に被覆した本革シートの表面と前記口金の表面とを一致させた構造の前記１項に記載の筆記具。
３．前記本革シートの全表面に、型押しで深さ０．２ｍｍ以上の溝部を形成した構造の前記１項または２項に記載の筆記具。」である。
【０００７】
本発明における本革シートは、牛や羊など高級な皮革材料からなるものが高級筆記具の軸筒として好適である。革の肉厚は厚い方が質感を得られてよいが、肉厚が厚すぎると軸筒本体に捲き難くなり、また薄すぎると質感が得られ難くなると共に、本革シートに連設する口金など他の部材の表面とに段差が生じてしまうことから、本革シートの肉厚は０．５ｍｍ〜１．０ｍｍの範囲で設定することが好ましい。尚、本革シートの前後端縁における円周方向における重なり部の厚みＴ４を、本革シートの肉厚Ｔより小さくすることで、本革シートの前後端縁を被覆する前方筒状部材や後方筒状部材の内径を小さくでき、結果、前方筒状部材や後方筒状部材の外径を小さくすることができ、細身の筆記具に好適な構造となる。また２項に係る発明では、本革シートの表面と口金の表面との間に段差がないことから、口金と把持部との間に見た目の一体感が生じ、金輪の後端縁に把持部を把持した指が接触し難いものなる。また３項に係る発明では、本革シートの表面の全体に溝を形成することで、指が滑り難くなると共に、本革シートの円周方向における継目が目立ち難い構造となる。
【発明の効果】
【０００８】
本発明の筆記具は、本革シートで筆記具に高級感を与えることができると共に、本革シートの円周方向における重ね合わせ部および前後端縁が前方筒状部材および後方筒状部材に被覆されて目立つことなく、本革シートの前後の木端からシートが捲れてしまうことを防止でき、さらに、本革シートの全表面に、型押しで溝部を形成することにより、指が滑り難く、円周方向における本革シートの継目が目立ち難い構造となった。
【図面の簡単な説明】
【０００９】
【図１】図１は、本実施例の筆記具における斜視図である。
【図２】図２は、本革シートの図で、図２Ａは背面図、図２Ｂは図２ＡのＸ−Ｘ線断面図、図２Ｃは図２ＡのＹ−Ｙ線断面図である。
【図３】図３は、軸筒前部本体に本革シートを捲く状態を示す斜視図である。
【図４】図４は、軸筒前部本体に本革シートを捲く状態を示す横断面図である。
【図５】図５は、軸筒前部本体に本革シートを捲いた状態を示す横断面図である。
【図６】図６は、筆記具を組立てる状態を示す斜視図である。
【図７】図７は、本発明の要部縦断面図である。
【発明を実施するための形態】
【００１０】
以下、図面を参照して本発明における筆記具について説明を行う。尚、説明を分かり易くするために、図面中の同様の部材、同様の部分については同じ番号を付してある。本実施例の説明においては口金側を前方と表現し、反対側を後方と表現する。
【００１１】
図１は本実施例の筆記具における斜視図を示しており、図１に示すように筆記具１は、前軸２と後軸３とで軸筒４を構成し、前軸２の前方に口金５を、後軸３の後方に頭冠６を、後軸３の側面にクリップ７を装着してある。また筆記具１は、前軸２に対し後軸３を回転操作することで、軸筒４に収容した複数の筆記体（図示せず）を口金５の先端開口部５ａから出没させる構造の回転繰出式筆記具である。尚、本実施例の前軸２の表面にはシート状の本革シート８を円周方向に捲いて貼り付けてある。前軸２の縦方向に現われた線は本革シート８を円周方向で重ねた継目８ａであり、表面全体の模様は型押しにより形成した溝部８ｂである。
【００１２】
次に、図２を用いて本実施例の本革シートについて説明を行う。図に示すように本革シート８は長方形形状で、前軸２（図１参照）に貼り付けた状態で円周方向で重なる本革シート８の両側縁部８１，８２に木端剥部８１ｋ，８２ｋを設けてあり、本革シート８の前端縁８３と後端縁８４に木端剥部８３ｋと木端剥部８４ｋをそれぞれ設けてある。本実施例では本革シート８の中央部８０の肉厚Ｔを０．５ｍｍとし、木端剥部８１ｋ，８２ｋの肉厚Ｔ１を０．２５ｍｍとし、木端剥部８３ｋ，８４ｋの肉厚Ｔ２を０．２ｍｍで形成してある。したがって、本革シート８の肉厚Ｔと、木端剥部８１ｋ，８２ｋの肉厚Ｔ１と、木端剥部８３ｋ，８４ｋの肉厚Ｔ２との関係は、Ｔ１＝Ｔ／２、Ｔ２＜Ｔ１＜Ｔである。
【００１３】
図３および図４は、軸筒前部本体９に本革シート８を捲く状態を示しており、本革シート８の木端剥部８１ｋ，８３ｋ、８４ｋで囲まれた領域には両面テープ１０（破線のハッチングで示す）を貼ってあり、木端剥部８２ｋには接着剤１１（実線のハッチングで示す）を塗布してある。本実施例では、側縁部８１側から軸筒前部本体９に捲き始めて両面テープ１０で本革シート８を軸筒前部本体９へ固着し、接着剤１１にて側縁部８１と側縁部８２とを接着させた上で口金５の後端開口部５ｂから挿嵌して固定させる。図５は軸筒前部本体９に本革シート８を捲いた状態を示しており、木端剥部８１ｋの上に木端剥部８２ｋが接着され、重なり部分の肉厚Ｔ３が０．５ｍｍとなり中央部８０の肉厚Ｔと同じになって段差が生じないようにしてある。尚、本実施例の接着剤１１は革に浸透するため、接着後の乾いた状態では目立つような厚さが生じることはない。
【００１４】
図６は、筆記具１を組立てる状態であり、後軸３の前方へ装着した内筒１２の内部には、後軸３に対して前後動可能なボールペン体１３とシャープペンシル体１４を配設してあり、前軸２の軸筒前部本体９に内筒１２を挿着させて組立てる。図７は、組立てた状態の筆記具１の要部縦断面図であり、口金５の後端部の内面に形成した凹部５ｃに本革シート８の前端縁８３が被覆され、また後軸３の内側に本革シート８の後端縁８４が被覆され、木端剥部８３ｋ，８４ｋが外部に露出しない状態で組立てることができた。尚、本実施例の本革シート８の表面全体には溝部８ｂを０．２ｍｍの深さで形成していることから、筆記時における指の滑り止めとなった。また木端剥部８３ｋ，８４ｋの肉厚を０．２ｍｍで形成してあり、重ねた厚みＴ４が０．４ｍｍとなり中央部８０の厚み０．５ｍｍより薄いことから口金５で被覆しながら、口金５の表面と本革シート８の表面とを一致させることができた。
【産業上の利用可能性】
【００１５】
本発明の筆記具は、万年筆などで重厚感が求められる筆記具に適している。
【符号の説明】
【００１６】
１…筆記具、２…前軸、３…後軸、４…軸筒、
５…口金、
５ａ…先端開口部、５ｂ…後端開口部、５ｃ…凹部、
６…尾冠、７…クリップ、
８…本革シート、
８ａ…継目、８ｂ…溝部、
８０…中央部、
８１，８２…両側縁部、８１ｋ，８２ｋ…木端剥部、
８３…前端縁、８３ｋ…木端剥部、
８４…後端縁、８４ｋ…木端剥部、
９…軸筒前部本体、
１０…両面テープ、１１…接着剤、１２…内筒。
【図１】
2013111798.tif 000003
【図２】
2013111798.tif 000004
【図３】
2013111798.tif 000005
【図４】
2013111798.tif 000006
【図５】
2013111798.tif 000007
【図６】
2013111798.tif 000008
【図７】
2013111798.tif 000009